(57)【要約】【課題】導電性線材とワイヤーハーネスの接続部分の他の導体との短絡を防止するととともに当該引き出された導電性線材の断線を防止することができる導電性布帛と接続端子の組立体を提供すること。【解決手段】導電性線材１１１を含む導電部１１を有する導電性布帛１０と、この導電性布帛１０の導電部１１の端部から引き出された前記導電性線材１１１に電気的に接続されるワイヤーハーネス２０と、を備える導電性布帛とワイヤーハーネスの組立体であって、前記導電性線材１１１と前記ワイヤーハーネス２０の接続部分Ｃが、前記導電性布帛１０と前記導電性布帛の導電部の外面を覆う絶縁部材４０との間に挟み込まれている組立体１とした。【選択図】図４
2013012375.tif 000002
【特許請求の範囲】
【請求項１】
導電性線材を含む導電部を有する導電性布帛と、この導電性布帛の導電部の端部から引き出された前記導電性線材に電気的に接続されるワイヤーハーネスと、を備える導電性布帛とワイヤーハーネスの組立体であって、
前記導電性線材と前記ワイヤーハーネスの接続部分が、前記導電性布帛と前記導電性布帛の導電部の外面を覆う絶縁部材との間に挟み込まれていることを特徴とする導電性布帛とワイヤーハーネスの組立体。
【請求項２】
前記絶縁部材の内側には、前記導電性線材と前記ワイヤーハーネスの接続部分が収納可能な収納部が設けられており、この収納部内に前記導電性線材と前記ワイヤーハーネスの接続部分が収納されていることを特徴とする請求項１に記載の導電性布帛とワイヤーハーネスの組立体。
【請求項３】
前記収納部は、前記絶縁部材の端部の方向に開口していることを特徴とする請求項２に記載の導電性布帛とワイヤーハーネスの組立体。
【請求項４】
前記収納部は、前記絶縁部材の端部の方向とは反対の方向に開口していることを特徴とする請求項２に記載の導電性布帛とワイヤーハーネスの組立体。
【発明の詳細な説明】
【技術分野】
【０００１】
本発明は、導電性布帛とワイヤーハーネスの組立体に関し、さらに詳しくは、導電性線材を含む導電部を有する導電性布帛とこの導電性布帛の導電性線材に電気的に接続されるワイヤーハーネスとの組立体に関する。
【背景技術】
【０００２】
下記特許文献１には、導電性布帛（通電手段１８）の導電部（導電性布帛の本体部分）から引き出された導電性線材（導線３０）とワイヤーハーネス（電源部材９０）が、かしめ部材を介して電気的に接続された構成が記載されている（特許文献１の図８（ｃ）参照）。
【先行技術文献】
【特許文献】
【０００３】
【特許文献１】特開２０１１−２５８８９号公報
【発明の概要】
【発明が解決しようとする課題】
【０００４】
この特許文献１のように、導電性布帛の導電性線材とワイヤーハーネスをかしめにより接続した場合、かしめ部やワイヤーハーネスの重みなどにより導電性線材における導電性布帛の導電部から引き出された部分に負荷が掛かり、当該引き出された部分が断線してしまうおそれがある。また、かしめ部材は導電性材料金属）で形成されているため、導電性線材やワイヤーハーネスが他の導体と短絡しないようにする必要がある。
【０００５】
上記実情に鑑みて、本発明が解決しようとする課題は、導電性布帛の導電部から引き出された導電性線材にワイヤーハーネスが接続される導電性布帛とワイヤーハーネスの組立体であって、この導電性線材とワイヤーハーネスの接続部分の他の導体との短絡を防止するとともに当該引き出された導電性線材の断線を防止することができる導電性布帛と接続端子の組立体を提供することにある。
【課題を解決するための手段】
【０００６】
上記課題を解決するために本発明にかかる導電性布帛とワイヤーハーネスの組立体は、導電性線材を含む導電部を有する導電性布帛と、この導電性布帛の導電部の端部から引き出された前記導電性線材に電気的に接続されるワイヤーハーネスと、を備える導電性布帛とワイヤーハーネスの組立体であって、前記導電性線材と前記ワイヤーハーネスの接続部分が、前記導電性布帛と前記導電性布帛の前記導電部の外面を覆う絶縁部材との間に挟み込まれていることを要旨とする。
【０００７】
上記本発明によれば、導電部の端部から引き出された導電性線材とワイヤーハーネスの接続部分が、導電性布帛とその導電部を覆う絶縁部材との間に挟み込まれているから、導電性線材の引き出された部分に掛かる負荷が低減され、当該引き出された部分の断線が防止される。また、接続部分は絶縁部材に覆われた状態となるから、当該接続部分（導電性線材およびワイヤーハーネス）が他の導体と短絡することもない。このように、上記本発明は、導電性布帛の導電部を絶縁するための絶縁部材を、導電性線材とワイヤーハーネスの接続部分の固定にも利用したものである。つまり、部品点数を増加させることなく、導電性線材の断線および接続部分の短絡を防止できる。
【０００８】
またこの場合、前記絶縁部材の内側には、前記導電性線材と前記ワイヤーハーネスの接続部分が収納可能な収納部が設けられており、この収納部内に前記導電性線材と前記ワイヤーハーネスの接続部分が収納されていればよい。
【０００９】
このように絶縁部材に収納部を形成しておき、その収納部に導電性線材とワイヤーハーネスの接続部分を収納すれば、接続部分がより安定した状態で保持される。すなわち、導電性線材に掛かる負荷がさらに低減されるから、導電性線材の断線がより確実に防止される。
【００１０】
また、上記のように絶縁部材に収納部が形成されている場合において、この収納部は、前記絶縁部材の端部の方向に向かって開口していればよい。
【００１１】
このように収納部が絶縁部材の端部の方向に開口していれば、導電性線材とワイヤーハーネスの接続部分を収納部内に収納する作業が行いやすい。
【００１２】
また、上記のように絶縁部材に収納部が形成されている場合において、この収納部は、前記絶縁部材の端部とは反対の方向に開口していてもよい。
【００１３】
このように収納部が絶縁部材の端部の方向とは反対の方向に開口していれば、導電性線材とワイヤーハーネスの接続部分が収納部から抜け出てしまうことが確実に防止される。
【発明の効果】
【００１４】
本発明にかかる導電性布帛とワイヤーハーネスの組立体によれば、導電性線材における導電部から引き出された部分に掛かる負荷が低減され、当該引き出された部分の断線が防止される。また、接続部分は絶縁部材に覆われた状態となるから、当該接続部分（導電性線材およびワイヤーハーネス）が他の導体と短絡することが防止される。
【図面の簡単な説明】
【００１５】
【図１】本発明の実施形態にかかる導電性布帛とワイヤーハーネスの組立体（それを用いたヒータ装置）の平面図である。
【図２】図１に示した本発明の実施形態にかかる導電性布帛とワイヤーハーネスの組立体の要部（接続部分Ｃ）を拡大して示した平面図である。
【図３】図１に示した導電性布帛とワイヤーハーネスの組立体が備える導電性布帛の断面を模式的に示した図である。
【図４】本発明の実施形態にかかる導電性布帛とワイヤーハーネスの組立体の組立手順を順に説明した外観斜視図である（図４（ｃ）は本発明の実施形態にかかる導電性布帛とワイヤーハーネスの組立体の外観斜視図である）。
【図５】第一の変形例かかる導電性布帛とワイヤーハーネスの組立体の組立手順を順に説明した外観斜視図である（図５（ｃ）は第一の変形例にかかる導電性布帛とワイヤーハーネスの組立体の外観斜視図である）。
【図６】第二の変形例かかる導電性布帛とワイヤーハーネスの組立体の組立手順を順に説明した外観斜視図である（図６（ｃ）は第二の変形例にかかる導電性布帛とワイヤーハーネスの組立体の外観斜視図である）。
【発明を実施するための形態】
【００１６】
以下、本発明の実施形態について図面を参照しつつ詳細に説明する。なお、以下の説明において、単に幅方向とは図１に示したＸ軸方向をいい、単に軸線方向とは図１に示したＹ軸方向をいい、単に厚み方向とは幅方向および軸線方向に直交する方向をいう。
【００１７】
本発明の実施形態にかかる導電性布帛とワイヤーハーネスの組立体１（以下単に組立体１と称することもある）は、導電性線材１１１を含む導電部１１を有する導電性布帛１０と、この導電性布帛１０の導電部１１に電気的に接続されるワイヤーハーネス２０と、を備える。この組立体１は、例えば、図１および図２に示すようなヒータ部材５０を電源などと接続するための部材（端子部材）として用いられる。
【００１８】
ヒータ部材５０は、面状（シート状）の基材５１と、その基材５１に固定された導電糸５２（ヒータ線）と、を有する。基材５１は、ヒータ面を構成するシート状の部材である。その材質は、導電糸５２による発熱に耐えうるものであれば特に限定されない。導電糸５２は、基材５１の幅方向に平行に配置されている。この導電糸５２に通電することにより導電糸５２が発熱する。また、基材５１に固定された各導電糸５２は、基材５１の幅方向両側から突出している。この突出した部分は、組立体１を構成する導電性布帛１０の導電部１１に接続されている。この接続方法は、ヒータ部材５０の各導電糸５２と導電性布帛１０の導電部１１とが電気的に接続される構成であれば特に限定されない。
【００１９】
このようにして各導電糸５２に接続される導電性布帛１０は、導電性線材１１１を含む導電部１１を有する。導電部１１は、導電性部材である導電性線材１１１と、絶縁性部材（非導電性部材）である非導電性線材１１２とが織り込まれた織物で構成される。織物の具体的な構成としては、例えば、縦糸（経糸）に導電性線材１１１を用い、横糸（緯糸）に非導電性線材１１２を用いた図３に示すような構成が例示できる。これにより、表面に導電性線材１１１が露出した面状の導電部１１を有する導電性布帛１０となる。なお、導電部１１は、ヒータ部材５０の導電糸５２が接続される側の面の方が、その反対側の面よりも位置する導電性線材１１１の割合が大きくなるように構成してもよい。
【００２０】
上述したように、この導電部１１にヒータ部材５０の導電糸５２が電気的に接続される。この導電糸５２が接続された導電性布帛１０は、図２に示すように、ヒータ部材５０の基材５１の幅方向側縁部を挟み込むように屈曲させて取り付けられている。すなわち、断面略「Ｕ」字状に取り付けられている。
【００２１】
このようにヒータ部材５０に取り付けられた導電性布帛１０の軸線方向端部からは、導電部１１を構成する導電性線材１１１が束となって引き出されている（以下当該引き出された部分を引出部１１１ａと称する）。束となって引き出された導電性線材１１１の引出部１１１ａは、ワイヤーハーネス２０に電気的に接続されている。ワイヤーハーネス（電線）２０は、導電性布帛１０の導電部１１を電源などと接続するための導体（リード）を有する部材である。ヒータ部材５０を発熱させる際には、このワイヤーハーネス２０を介して導電性布帛１０の導電部１１から各導電糸５２に電流が流れる。導電性線材１１１の引出部１１１ａの先端には、このワイヤーハーネス２０（が有する導体）の一端が接続される。具体的には、導電性線材１１１の先端とワイヤーハーネス２０の一端が、導電性部材で形成されるかしめ部材３０を介してかしめられることにより接続されている。以下、当該かしめられた部分を、単に「接続部分Ｃ」と称する。
【００２２】
この接続部分Ｃは、絶縁性材料（非導電性材料）で形成された絶縁部材４０によって覆われている。絶縁部材４０は、導電性布帛１０の導電部１１と他の導電性部材とが短絡しないように、導電部１１の外面の全面を覆うシート状の部材である。つまり、ヒータ部材５０の基材５１の幅方向側縁部を挟み込むように屈曲させて取り付けられた導電性布帛１０の導電部１１の外面を覆う部材である。したがって、この絶縁部材４０は、屈曲した導電性布帛１０の導電部１１の外面に沿うように屈曲して（略「Ｕ」字状となるように）固定されている。上記接続部分Ｃは、このようにして導電性布帛１０に絶縁部材４０が固定されることを利用して、導電性布帛１０と絶縁部材４０との間に挟み込まれている。
【００２３】
具体的には次のように導電性布帛１０と絶縁部材４０との間に接続部分Ｃが挟み込まれている。まず、図４（ａ）に示すように、導電部１１の端部から引き出された導電性線材１１１の引出部１１１ａをＵターンさせるように折り返して、接続部分Ｃを導電性布帛１０の外面と絶縁部材４０の内面との間に位置させる。この状態で、図４（ｂ）に示すように、絶縁部材４０を導電性布帛１０の外面を覆うように固定する。これにより、図４（ｃ）に示すように、接続部分Ｃは、導電性布帛１０（の端部）の外面と絶縁部材４０（の端部）の外面との間に挟み込まれた状態となる。
【００２４】
このように、上記本実施形態にかかる組立体１によれば、導電部１１の端部から引き出された導電性線材１１１の引出部１１１ａとワイヤーハーネス２０の接続部分Ｃが、導電性布帛１０とその導電部１１を覆う絶縁部材４０との間に挟み込まれているから、導電性線材１１１の引出部１１１ａに掛かる負荷が低減され、当該引出部１１１ａの断線が防止される。また、接続部分Ｃは絶縁部材４０に覆われた状態となるから、当該接続部分Ｃ（導電性線材１１１およびワイヤーハーネス２０）が他の導体と短絡することもない。このように、本実施形態にかかる組立体１は、導電性布帛１０の導電部１１を絶縁するために用いられる絶縁部材４０を、導電性線材１１１とワイヤーハーネス２０の接続部分Ｃの固定にも巧みに利用したものである。したがって、部品点数を増加させることなく、導電部１１から引き出された導電性線材１１１の引出部１１１ａの断線および他の導体との接続部分Ｃの短絡を防止できる（接続部分Ｃが絶縁される）。
【００２５】
なお、上記実施形態において、絶縁部材４０の導電性布帛１０（ヒータ部材５０）に対する固定方法は接着や縫合など種々の方法が適用できる。ただし、導電性布帛１０と絶縁部材４０の間に挟み込まれる接続部分Ｃの固定を一度に行うことができるという利点があることから、接着により絶縁部材４０を固定することが好ましい。
【００２６】
以下、上記組立体１の変形例（第一の変形例にかかる組立体１ａおよび第二の変形例にかかる組立体１ｂ）について、上記組立体１と異なる点を中心に説明する。第一の変形例にかかる組立体１ａは、絶縁部材４０に導電性線材１１１とワイヤーハーネス２０の接続部分Ｃが収納可能な収納部４１が設けられている点で上記組立体１と異なる。
【００２７】
本変形例において収納部４１は、屈曲した導電性布帛１０の導電部１１の外面に沿うように屈曲して固定される絶縁部材４０の内側に設けられている。この収納部４１は、絶縁部材４０の端部の方向（外向き）に開口した（開口４１１が形成された）袋状（ポケット）の部分である。
【００２８】
本変形例では、図５（ａ）の状態から導電部１１の端部から引き出された導電性線材１１１の引出部１１１ａをＵターンさせるように折り返して（図５（ｂ）参照）、接続部分Ｃを開口４１１から収納部４１内に収納する。この接続部分Ｃが収納された状態で、絶縁部材４０を接着などにより導電性布帛１０の導電部１１を覆うように固定する（図５（ｃ）参照）。
【００２９】
かかる構成とすれば、接続部分Ｃは袋状の収納部４１に収納された状態で導電性布帛１０と絶縁部材４０の間に挟み込まれた状態で保持されるから、導電性線材１１１に掛かる負荷がさらに低減され、導電性線材１１１の断線がより確実に防止される。また、本変形例のように収納部４１が絶縁部材４０の端部の方向（外向き）に開口していれば、導電性線材１１１を折り返せばそのまま真っ直ぐワイヤーハーネス２０を収納部４１内に挿入することができるから、接続部分Ｃを収納部４１内に収納する作業が行いやすい。
【００３０】
次に、第二の変形例にかかる組立体１ｂについて説明する。第二の変形例にかかる組立体１ｂは、上記第一の変形例と同様に、絶縁部材４０に導電性線材１１１とワイヤーハーネス２０の接続部分Ｃが収納可能な収納部４２が設けられている。
【００３１】
本変形例の収納部４２は、第一の変形例と同様に、屈曲した導電性布帛１０の導電部１１の外面に沿うように屈曲して固定される絶縁部材４０の内側に設けられている。この収納部４２は、絶縁部材４０の端部の方向とは反対の方向（内向き）に開口した（開口４２１が形成された）袋状（ポケット）の部分である。つまり、本変形例における収納部４２の開口４２１の方向は、第一の変形例における収納部４２の開口４１１の方向とは反対である。
【００３２】
本変形例では、図６（ａ）の状態から導電部１１の端部から引き出された導電性線材１１１の引出部１１１ａの根元部分をＵターンさせるように折り返し、さらにその折り返した部分よりも先端側をもう一度Ｕターンさせるように折り返す。接続部分Ｃに繋がるワイヤーハーネス２０もＵターンさせるように折り返す（図６（ｂ）参照）。このような状態（接続部分Ｃで繋がる導電性線材１１１とワイヤーハーネス２０が略「Ｗ」状を形成した状態）で内向きの開口４２１から接続部分Ｃを収納部４２内に収納する。この接続部分Ｃが収納された状態で、絶縁部材４０を接着などにより導電性布帛１０の導電部１１を覆うように固定する（図６（ｃ）参照）。
【００３３】
かかる構成とすれば、接続部分Ｃは袋状の収納部４２に収納された状態で導電性布帛１０と絶縁部材４０の間に挟み込まれた状態で保持されるから、導電性線材１１１に掛かる負荷がさらに低減され、導電性線材１１１の断線がより確実に防止される。また、本変形例のように、収納部４２が絶縁部材４０の端部の方向とは反対の方向（絶縁部材４０が延びる方向）に開口していれば、導電性線材１１１とワイヤーハーネス２０の接続部分Ｃが収納部４２から抜け出てしまうことが確実に防止される。
【００３４】
このように、第一の変形例および第二の変形例は、いずれも絶縁部材４０に接続部分Ｃが収納される収納部４１，４２を形成した構成であるが、その収納部４１，４２の開口４１１，４２１の方向が異なる。第一の変形例は、絶縁部材４０の端部に向かって開口した収納部４１が形成されているから、接続部分Ｃの収納作業が行いやすいという利点があり、第二の変形例は、内向きに開口した収納部４２が形成されているから、一旦収納された接続部分Ｃが収納部４２から抜け出ることを確実に防止できるという利点がある。したがって、かかる収納部４１，４２の開口４１１，４２１の向きは、接続部分Ｃ（かしめ部）の大きさや収納部４１，４２の大きさなどに応じて適宜選択すればよい。
【００３５】
以上説明した上記第一の変形例および第二の変形例（絶縁部材４０に収納部４１，４２が設けられた構成）において、収納部４１，４２がその内側に収納される接続部分Ｃによって伸びるような伸縮性のある（弾性のある）部材で形成されていればさらによい。かかる構成とすれば、収納部４１，４２内に収納された接続部分Ｃは、もとの状態に戻ろうとする（縮もうとする）伸縮性の材料の圧力によって挟み込まれた状態となるから、収納部４１，４２から接続部分Ｃが抜け出てしまうことを防止する効果がさらに高まる。また、接続部分Ｃが収納部４１，４２内で安定した状態で保持されるから、導電性線材１１１に掛かる負荷がさらに低減される。
【００３６】
また、収納部４１，４２の内側に予め接着剤を充填しておき、その充填された空間に接続部分Ｃが挿入される構成としても、収納部４１，４２内に収納された接続部分Ｃが抜け出てしまうことを防止する効果、導電性線材１１１に掛かる負荷を低減する効果がさらに高められる。
【００３７】
以上、本発明の実施形態について詳細に説明したが、本発明は上記実施形態に何ら限定されるものではなく、本発明の要旨を逸脱しない範囲で種々の改変が可能である。
【００３８】
例えば、上記実施形態にかかる組立体１（１ａ，１ｂ）は、ヒータ装置を構成する面状のヒータ部材５０の導電糸５２を、電源などと接続するための構成として用いられることを説明したが、その他の装置にも適用可能である。具体的には、通電する対象の部材（ヒータ装置において導電糸５２に相当する部材）が一列に並んで設けられており、それらを一纏めにして電源などと接続するように設計される装置に好適に適用される。
【符号の説明】
【００３９】
１（１ａ，１ｂ）  導電性布帛とワイヤーハーネスの組立体
１０              導電性布帛
１１              導電部
１１１            導電性線材
２０              ワイヤーハーネス
Ｃ                接続部分
４０              絶縁部材
４１，４２        収納部
４１１，４２１    開口
【図１】
2013012375.tif 000003
【図２】
2013012375.tif 000004
【図３】
2013012375.tif 000005
【図４】
2013012375.tif 000006
【図５】
2013012375.tif 000007
【図６】
2013012375.tif 000008